(57)【要約】【課題】顔全体、すなわち、目尻周辺のみならず、口角周辺のしわやたるみ、額のしわ、顎から首にかけてのたるみ全体を補整することの可能なフェイスアップディバイスを提供することにある。【解決手段】頭頂部付近の毛髪に固定する中央ヘアクリップ部１と、この中央ヘアクリップ部１から放射状に配設する４個の補助ヘアクリップ部５と、中央ヘアクリップ部１と補助ヘアクリップ部５との間をそれぞれ独立して連結するストレッチ部材７とから構成され、中央ヘアクリップ部１を頭頂部付近の毛髪に固定し、補助ヘアクリップ部５をストレッチ部材７の弾性収縮力に抗してそれぞれ引っ張った状態で前頭部、後頭部、あるいは側頭部付近の毛髪に固定するようにした。【選択図】図１
2013042849.tif 000002
【特許請求の範囲】
【請求項１】
頭頂部付近の毛髪に固定する中央ヘアクリップ部と、この中央ヘアクリップ部から放射状に配設する４個の補助ヘアクリップ部と、前記中央ヘアクリップ部と前記各補助ヘアクリップ部との間をそれぞれ独立して連結するストレッチ部材とからなり、前記中央ヘアクリップ部を頭頂部付近の毛髪に固定し、４個の補助ヘアクリップ部をストレッチ部材の弾性収縮力に抗してそれぞれ引っ張った状態で前頭部、後頭部、あるいは側頭部付近の毛髪に固定し、当該４個の補助ヘアクリップ部を、頭頂部の中央ヘアクリップ部に向けて牽引するようにしたことを特徴とするフェイスアップディバイス。
【請求項２】
ストレッチ部材を構成する素材がゴム弾性を有する天然ゴムまたは合成ゴム、あるいは天然ゴムと合成ゴムの複合ゴムである請求項１記載のフェイスアップディバイス。
【請求項３】
ストレッチ部材は環状に形成してあり、当該環状のストレッチ部材を挿通させるための環状部材または通孔を、中央ヘアクリップ部の各隅角部付近に設けてあると共に、補助ヘアクリップ部の左右両端部に前記環状のストレッチ部材を係着させるための凹溝を凹設してある請求項１または請求項２のいずれかに記載のフェイスアップディバイス。
【発明の詳細な説明】
【技術分野】
【０００１】
本発明は頭髪に固定して顔全体をリフトアップさせることができる補整具、すなわちフェイスアップディバイスに関する。
【背景技術】
【０００２】
加齢に伴って顔面にはたるみやしわが生ずる。顔に生じるたるみやしわは美容上、マイナスファクターである。そのため、顔面の皮膚をリフトアップさせてたるみやしわを補整し若々しくするための器具類が、後述する特許文献に示されているように、いくつか提案されている。
【０００３】
特許文献１に示されたフェィスリフトアップ用器具は、顔のしわをのばすように該部に対応する部位の毛髪を束ねて引張るフェースリフトアップ用器具であって、毛髪の束を沿わせるように又は巻き付けるように保持する芯体と、この芯体に対して芯体周面部に外嵌する着脱可能な割筒形の外装体によりなるクリップ体を主構成とし、クリップ体の芯体後部に毛髪牽引用のフック掛け部を有し、芯体と外装体とを毛髪を挟んで軸方向一体に固定しフック掛け部にリフトバンドを係着することにより毛髪を牽引するようにしたものである。
【０００４】
また、特許文献２に示された顔のしわ矯正具は、装着者の頭部の左右こめかみ部分に近い毛髪を挟持し該頭部の左右両側に取り外し可能に止着される左右一対のクリップと、該頭部の後頭部に沿って装着され、前記頭部の左右両側に止着された前記一対のクリップ同士を互いに後頭部側に引き寄せた状態で保持する紐とから構成され、前記左右一対のクリップはそれぞれ板バネである第１板バネ部材及び当該第１板バネ部材と一体化されている第２板バネ部材とからなり、前記第１板バネ部材は、第１板バネ部材の第一の本体部の基端と、第１板バネ部材の第二の本体部の基端とが直交し、正面視で略Ｌ字状になるように形成されている第１板バネ部材の本体部を備えており、前記第２板バネ部材は、第２板バネ部材の第一の本体部の基端と、第２板バネ部材の第二の本体部の基端とが直交し、正面視で略Ｌ字状になるように形成されている第２板バネ部材の本体部を備えており、前記第１板バネ部材の第一の本体部と、前記第２板バネ部材の第一の本体部とがそれぞれ左右方向に延び、前記第１板バネ部材の第二の本体部と、前記第２板バネ部材の第二の本体部とがそれぞれ当該左右方向に直交する方向に延びる状態で、前記第１板バネ部材の第二の本体部の先端の裏側面と前記第２板バネ部材の第一の本体部の先端の正面側面、前記第１板バネ部材の第一の本体部の先端の裏側面と前記第２板バネ部材の第二の本体部の先端の正面側面をそれぞれ接合することによって前記第１板バネ部材と前記第２板バネ部材とが一体化されており、前記第１板バネ部材は、前記第１板バネ部材の第一の本体部側を基端とし、先端が前記第１板バネ部材の第一の本体部から第２板バネ部材の第一の本体部側に向かって延びる複数本の櫛歯を更に備えており、当該櫛歯の先端部は、第２板バネ部材の第一の本体部から離れる正面側方向に向かって段差を設けて途中から折り曲げられ、クリップ部として構成され、前記第２板バネ部材の第一の本体部は、前記第１板バネ部材のクリップ部の正面側において前記第１板バネ部材のクリップ部を左右に横切る形で配設され、非クリップ状態では、前記第１板バネ部材の第一の本体部と、前記第２板バネ部材の第一の本体部とがそれぞれ裏面側方向に向かって膨出するように湾曲し、前記第１板バネ部材の櫛歯先端部のクリップ部裏側面と、前記第２板バネ部材の第一の本体部の正面側面との間が所定間隔離れた状態で対峙し、前記左右一対のクリップの前記裏面側方向に向かって膨出するように湾曲している前記第１板バネ部材の第一の本体部及び前記第２板バネ部材の第一の本体部の中央部の裏面側を装着者の頭に当て、前記第１板バネ部材の第二の本体部及び前記第２板バネ部材の第二の本体部を前記装着者の頭の方向に向かって押すことによりクリップ状態となり、前記第１板バネ部材の第一の本体部及び前記第２板バネ部材の第一の本体部の各中央部が正面側方向に向けて膨出するように反転変形し、前記第１板バネ部材の櫛歯先端部のクリップ部と前記第２板バネ部材の第一の本体部との間に前記装着者の毛髪がクリップされ、これによって前記左右一対のクリップが前記装着者の毛髪に止着されるようにしたものである。
【先行技術文献】
【特許文献】
【０００５】
【特許文献１】特許第３９９０２００号公報
【特許文献２】特許第４５３６７７２号公報
【発明の概要】
【発明が解決しようとする課題】
【０００６】
特許文献１の開示技術においては、クリップ体が芯体と、その芯体外周部に嵌着される外装体から構成され、毛髪の束を堅固な状態で固定することができるので、リフトバンドを掛けることによって目尻付近のしわを伸ばすことに一定の効果がある。
【０００７】
しかしながら、この特許文献１に係るフェィスリフトアップ用器具では左右のこめかみ付近の毛髪にクリップ体を固定して、１本のリフトバンドで相互に牽引するようにしたに過ぎないものであるから、目尻付近のしわ伸ばしに効果があるとしても、口角周辺のたるみや、顎から首にかけてのたるみを補整することはできない。
【０００８】
また、特許文献２の開示技術においては、前記特許文献１に示された、芯体及び当該芯体の周面部に外嵌する着脱可能な割筒形の外装体から構成されるクリップ体に代えて、第１板バネ部材の第一の本体部の基端と、第１板バネ部材の第二の本体部の基端とが直交し、正面視で略Ｌ字状になるように形成されている第１板バネ部材と、第２板バネ部材の第一の本体部の基端と、第２板バネ部材の第二の本体部の基端とが直交し、正面視で略Ｌ字状になるように形成されている第２板バネ部材とから構成されるクリップを用いて、装着者の頭部の左右こめかみ部分に近い毛髪を挟持し、左右一対のクリップ同士を紐を用いて互いに後頭部側に引き寄せるようにしたもので、目尻周辺のしわを目立たなくすることができる。
【０００９】
しかしながら、この特許文献２に係る顔のしわ矯正具においても、従来例と同様に頭部の左右のこめかみ部分に近い毛髪を、左右のクリップ体によって挟持し、紐によってクリップ同士を互いに後頭部側に引き寄せるようにしたものであるから、その効果は部分的にしか過ぎず、フェイス全体、特に口角周辺のしわやたるみ、顎から首にかけてのたるみなどを補整することはできない。
【課題を解決するための手段】
【００１０】
本発明の目的は、上記従来技術に伴う問題点を解決し、顔の全体、すなわち、目尻周辺のみならず、口角周辺のしわやたるみ、顎から首にかけてのたるみ全体を補整することの可能なフェイスアップディバイスを提供することにある。
【００１１】
上記課題を解決するための本発明に係るフェイスアップディバイスの構成を詳述すれば、請求項１に係る発明は、頭頂部付近の毛髪に固定する中央ヘアクリップ部と、この中央ヘアクリップ部から放射状に配設する４個の補助ヘアクリップ部と、前記中央ヘアクリップ部と前記各補助ヘアクリップ部との間をそれぞれ独立して連結するストレッチ部材とからなり、前記中央ヘアクリップ部を頭頂部付近の毛髪に固定し、４個の補助ヘアクリップ部をストレッチ部材の弾性収縮力に抗してそれぞれ引っ張った状態で前頭部、後頭部、あるいは側頭部付近の毛髪に固定し、当該４個の補助ヘアクリップ部を、頭頂部の中央ヘアクリップ部に向けて牽引するようにしたことを特徴とするフェイスアップディバイスである。
【００１２】
請求項２に係る発明は、ストレッチ部材を構成する素材がゴム弾性を有する天然ゴムまたは合成ゴム、あるいは天然ゴムと合成ゴムの複合ゴムである請求項１記載のフェイスアップディバイスである。
【００１３】
請求項３に係る発明は、ストレッチ部材は環状に形成してあり、当該環状のストレッチ部材を挿通させるための環状部材または通孔を、中央ヘアクリップ部の各隅角部付近に設けてあると共に、補助ヘアクリップ部の左右両端部に前記環状のストレッチ部材を係着させるための凹溝を凹設してある請求項１または請求項２のいずれかに記載のフェイスアップディバイスである。
【発明の効果】
【００１４】
本発明に係るフェイスアップディバイスによれば、中央ヘアクリップ部をコアとして、放射状に４個の補助ヘアクリップ部を配設してあるので、ストレッチ部材によって、前頭部、後頭部、あるいは側頭部付近の毛髪を頭頂部に向けて少しの牽引力によって引っ張り上げることができ、それに伴って目尻周辺部だけでなく、フェイス全体、特に口角周辺のしわやたるみ、顎から首にかけてのたるみなどを補整することができる。
【図面の簡単な説明】
【００１５】
【図１】本発明に係るフェイスアップディバイスの使用状態の一例を示す平面図である。
【図２】本発明に係るフェイスアップディバイスの一実施形態を示す平面図である。
【発明を実施するための形態】
【００１６】
以下、本発明に係るフェイスアップディバイスの具体的構成を図面に基づき詳細に説明する。
【００１７】
図中１はバネ弾性を有する素材によって作製された角型状をなす中央ヘアクリップ部であり、２は当該中央ヘアクリップ部１に突設されたクシ歯部を示す。なお、このヘアクリップの構造自体は公知のかつら装着用のクリップとほぼ同一であるので詳細な説明は省略する。
【００１８】
角型状をなす中央ヘアクリップ部の各隅角部付近には後述する環状のストレッチ部材を挿通させるための通孔３を穿設してある。また、この通孔３に環状部材４を取付け、当該環状部材４にストレッチ部材を挿通させるようにしてもよい。
【００１９】
次に、図中５は前記中央ヘアクリップ部１から放射状に配設した４個の補助ヘアクリップ部であり、その構造および材質は前記中央ヘアクリップ部１と同一である。なお、補助ヘアクリップ部５の左右両端部には環状のストレッチ部材を係着させるための凹溝６，６を凹設してある。
【００２０】
図中７は前記中央ヘアクリップ部１と前記各補助ヘアクリップ部５との間をそれぞれ独立して連結するストレッチ部材を示し、当該ストレッチ部材７はゴム弾性を有する天然ゴムまたは合成ゴム、あるいは天然ゴムと合成ゴムからなる複合ゴムによって伸縮自在に構成される。なお、角型状をなす補助ヘアクリップ部５が均等に中央ヘアクリップ部１に向けて牽引されるように、ストレッチ部材７は環状に形成するとよいものである。
【００２１】
すなわち、ストレッチ部材７を環状でなく１本の紐状体を以って構成し、当該１本の紐状体によって補助ヘアクリップ部５を中央ヘアクリップ部１方向に引っ張るようにしてもよいが、この場合はストレッチ部材７のテンションが偏向してしまい、バランスが悪くなる。しかしながら、前記したようにストレッチ部材７を環状に形成した場合にはこのような不具合を解消することができる。
【００２２】
本発明フェイスアップディバイスは上記のように、頭頂部付近の毛髪に固定する中央ヘアクリップ部１と、この中央ヘアクリップ部１から放射状に配設する４個の補助ヘアクリップ部５と、前記中央ヘアクリップ部１と前記各補助ヘアクリップ部５との間をそれぞれ独立して連結するストレッチ部材７とから構成されるものであり、次にその使用法につき説明する。
【００２３】
先ず、バネ弾性を有する素材によって作製された中央ヘアクリップ部１の両端を摘んで中央部を押すことによりクシ歯部２とクリップ部１の間に毛髪を差し込むことのできる空隙を形成する。
【００２４】
次いで、当該中央ヘアクリップ部１を頭頂部付近の毛髪に固定する。その操作はクシ歯部２とクリップ部１の間の空隙に毛髪を差し込んでから、クリップ部１の中央を前記とは逆の方向に押すことによりクシ歯部２とクリップ部１の間の空隙が瞬時に閉じられ、クシ歯部２とクリップ部１の間に毛髪が挟持される。
【００２５】
次に、４個の補助ヘアクリップ部５をストレッチ部材７の弾性収縮力に抗してそれぞれ引っ張った状態で前頭部、後頭部、あるいは側頭部付近の毛髪に固定する。その操作は前記中央ヘアクリップ部１の固定方法と同一である。
【００２６】
なお、補助ヘアクリップ部５の左右両端部には環状のストレッチ部材７を係着させるための凹溝６，６を凹設してあり、補助ヘアクリップ部５の横方向全体が当該環状ストレッチ部材７によって保持され、安定した状態で補助ヘアクリップ部５によって挟持した毛髪を中央ヘアクリップ部１方向に牽引することができるものである。
【００２７】
なお、図示の実施形態においては、中央ヘアクリップ部１および補助ヘアクリップ部５として公知のかつら装着用ワンタッチクリップを用いているが、本発明の要旨は前頭部、後頭部、あるいは側頭部付近の毛髪を頭頂部方向に牽引して顔の全体をリフトアップさせることにあり、この要旨が同一である限り、かつら装着用のワンタッチクリップ以外のヘアクリップを用いて、毛髪に固定するようにしてもよいのは勿論であり、当該変更例についても本発明の範囲に含まれるのは云うまでもない。
【００２８】
このように、前頭部、後頭部、あるいは側頭部付近の毛髪が頭頂部方向に牽引されることに伴って、目尻周辺部だけでなく、フェイス全体、特に口角周辺のしわやたるみ、額のしわ、顎から首にかけてのたるみ全体を補整することができる。
【符号の説明】
【００２９】
１：中央ヘアクリップ部
２：クシ歯部
３：通孔
４：環状部材
５：補助ヘアクリップ部
６：凹溝
７：ストレッチ部材
【図１】
2013042849.tif 000003
【図２】
2013042849.tif 000004